【事件の表示】
　特許第２９４２２２０号「画像表示装置」の特許に対する特許異議の申立てについて、次のとおり決定する。
【結　論】
　訂正を認める。
　特許第２９４２２２０号の請求項１ないし８に係る特許を維持する。
【理　由】
（１）手続きの経緯      
　本件特許第２９４２２２０号発明は、昭和６３年１２月２９日出願の特願昭６３−３３０９８８号の一部を平成９年８月１日に新たに出願され、平成１１年６月１８日にその発明の特許がなされ、その後、溝呂木　寛より特許異議の申立てがなされ、取消理由通知がなされ、その指定期間内である平成１２年７月１７日に訂正請求がなされたものである。
（２）訂正の適否についての判断
ア．特許請求の範囲の訂正
ａ、訂正明細書の請求項１に係る発明
　訂正明細書の請求項１に係る発明は、特許請求の範囲に特定された、次のとおりのものである。
「【請求項１】画像を取り込む画像取込手段と、既に撮影された画像に対して前記画像取込手段によって取り込まれるこれから撮影される画像の並ぶ方向を指示する指示手段と、前記既に撮影された画像と前記これから撮影される画像を前記指示手段の指示情報に従った並びで同時に表示する表示手段と、前記指示手段の指示情報を記憶する記憶手段とを有すると共に、前記指示手段は、前記記憶手段に記憶された前記指示情報に従って前記画像を表示することを特徴とする画像表示装置。」
ｂ、訂正明細書の請求項４に係る発明
　訂正明細書の請求項４に係る発明は、特許請求の範囲に特定された、次のとおりのものである。
「【請求項４】前記表示手段は、前記第２の記憶手段に記憶された画像と前記第３の記憶手段に記憶された画像を前記指示情報に従った並びで同時に表示することを特徴とする請求項３記載の画像表示装置。」
ｃ、訂正前の請求項５を削除する。
ｄ、訂正明細書の請求項５に係る発明
　訂正明細書の請求項５に係る発明は、特許請求の範囲に特定された、次のとおりのものである。「【請求項５】画像を取り込む画像取込手段と、既に撮影された画像に対して前記画像取込手段によって取り込まれるこれから撮影される画像の並ぶ方向を指示する指示手段と、前記既に撮影された画像と前記これから撮影される画像を前記指示手段の指示情報に従った並びで同時に表示する表示手段と、前記指示手段の指示情報を記憶する記憶手段とを有すると共に、前記指示手段は、前記記憶手段に記憶された前記指示情報に従って前記画像を表示することを特徴とする撮影装置。」
ｅ、訂正明細書の請求項６に係る発明
　訂正明細書の請求項６に係る発明は、特許請求の範囲に特定された、次のとおりのものである。
「【請求項６】前記既に撮影された画像を記憶する第２の記憶手段を有することを特徴とする請求項５記載の撮影装置。」
ｆ、訂正明細書の請求項７に係る発明
　訂正明細書の請求項７に係る発明は、特許請求の範囲に特定された、次のとおりのものである。
「【請求項７】前記これから撮影される画像を記憶する第３の記憶手段を有することを特徴とする請求項６記載の撮影装置。」
ｇ、訂正明細書の請求項８に係る発明
　訂正明細書の請求項８に係る発明は、特許請求の範囲に特定された、次のとおりのものである。
「【請求項８】前記表示手段は、前記第２の記憶手段に記憶された画像と前記第３の記憶手段に記憶された画像を前記指示情報に従った並びで同時に表示することを特徴とする請求項７記載の撮影装置。」
ｈ、訂正前の請求項１０を削除する。
イ．詳細な説明の訂正
ａ、発明の詳細な説明の欄段落【０００５】の項（特許掲載公報第３〜４欄段落【０００５】）を「【課題を解決するための手段】上記目的を達成するために本発明は、画像を取り込む画像取込手段と、既に撮影された画像に対して前記画像取込手段によって取り込まれるこれから撮影される画像の並ぶ方向を指示する指示手段と、前記既に撮影された画像と前記これから撮影される画像を前記指示手段の指示情報に従った並びで同時に表示する表示手段と、前記指示手段の指示情報を記憶する記憶手段とを有すると共に、前記指示手段は、前記記憶手段に記憶された前記指示情報に従って前記画像を表示する画像表示装置とするものである。また、本発明は、画像を取り込む画像取込手段と、既に撮影された画像に対して前記画像取込手段によって取り込まれるこれから撮影される画像の並ぶ方向を指示する指示手段と、前記既に撮影された画像と前記これから撮影される画像を前記指示手段の指示情報に従った並びで同時に表示する表示手段と、前記指示手段の指示情報を記憶する記憶手段とを有すると共に、前記指示手段は、前記記憶手段に記憶された前記指示情報に従って前記画像を表示する撮影装置とするものである。」と訂正する。
ウ.訂正の目的の適否及び拡張・変更の存否等
　上記訂正ア、は、特許請求の範囲の減縮、誤記の訂正ないし明瞭でない記載の釈明に該当し、願書に添付した明細書又は図面に記載された事項の範囲内のものであり、実質的に特許請求の範囲を拡張又は変更するものではなく、新規事項の追加もない。また、上記訂正イ、は、発明の詳細な説明欄中の明瞭でない記載の釈明を目的とするものであり、願書に添付した明細書又は図面に記載された事項の範囲内のものであり、新規事項の追加もない。
エ．むすび
　以上のとおりであるから、上記訂正請求は、特許法第１２０条の４第２項及び第３項で準用する第１２６条第２−４項の規定に適合するので、当該訂正を認める。
（３）特許異議の申立てについての判断
ア．申立ての理由の概要
　　申立人溝呂木　寛は、証拠として甲第１号証（特開昭６３−１４２９９１号公報）及び甲第２号証（特開昭６２−１５７４８４号公報）を提出し、訂正前請求項１〜１０に係る発明は、特許法第２９条第１項第３号の規定に違反してなされたものであるから、特許を取り消すべき旨主張し、さらに甲第３号証（特開昭５９−３０３７５号公報）を提出して、訂正前請求項１〜１０に係る発明は、特許法第２９条第２項の規定に違反してなされたものであるから、特許を取り消すべき旨主張している。
イ．判断
　当審が平成１２年４月２７日付け取消理由通知において引用した甲第１号証（特開昭６３−１４２９９１号公報）には、ビデオカメラ９を現地に置き、９の方向を変え、またズームレンズにより、画角を変えて、全周にわたる画像をメモリ１に、それぞれの画像の方向、大きさなどの情報をメモリ２に記憶し、視聴者が見たい方向、大きさなどを入力装置４に入力すると、コントローラ５により画像合成プロセッサ３に方向、大きさなどの情報が入力され、画像合成プロセッサ３は、与えられた方向、大きさに近い画像を１つ以上選び出し、目的の大きさになるよう拡大または縮少を行い、目的の方向になるよう必要に応じて画像と画像をつなぎ合わせて、一枚の画像を合成し、ディスプレイ６に表示するパノラマ合成システムが記載されている。
　同じく引用した甲第２号証（特開昭６２−１５７４８４号公報）には、「又、ＶＴＲ等よりの再生映像信号（ベースバンド信号）の供給される外部映像信号入力端子Ｖ１、Ｖ２、Ｖ３を有し、これら入力端子よりの外部映像信号が、テレビジョン回路ＭＫ、ＳＫに夫々設けられたスイッチ回路（７Ｍ）、（７Ｓ）によって、チューナ（５Ｍ）、（５Ｓ）からの映像信号と切り換えられて、陰極線管（１８）に供給されてその映像が映出され得るようになされている。」（第３頁左上欄第１８行〜右上欄第６行）、「メモリ（１４）は、副画面の可能最大個数例えば、４に応じて４個のフレーム（又はフィールド）メモリ領域を有している。」（第４頁右上欄第１〜４行）、「（２１）はラストコンディションメモリで、電源遮断時の主及び副チューナ（５Ｍ）、（５Ｓ）の選局チャンネル、スイッチ回路（７Ｍ）、（７Ｓ）の切り換え状態、副画面制御回路（１６）の制御状態等を、システム制御回路（２０）の制御によって記憶するもので、電源再投入時にその電源遮断時の各部の状態がシステム制御回路（２０）の制御によって再現される。」（第５頁左上欄第１２〜１９行）、「（２４）はテレビジョン受像機を制御すためのリモート制御器で、各種キーを備えており、そのキーの操作に基づく遠隔制御信号を送信する送信器を有している。（２３）はこのリモート制御器（２４）の送信器からの送信信号を受信する受信器で、システム制御回路（２０）に接続されている。この遠隔制御信号は、光、電波、音波等によって搬送される。次ぎに、このリモート制御器（２４）のキーの列を羅列する。パワーキー、リコールキー（映像識別表示の映出を行う）、ミュートキー（音声の無音）、受信チャンネル及び外部映像信号入力端子の番号の選択のためのテンキー、テレビ/ＶＴＲ切り換えキー、アンテナ入力/補助高周波入力切り換えキー、音声多重キー。ピクチャ、主受信チャンネル及び主外部映像信号入力端子の番号及び音量の夫々アップ及びダウンのキー。副画面のオンオフキー、副受信チャンネル及び副外部映像信号入力端子の番号のアップキー、同ダウンキー、静止画キー、駒撮画キー、副画面の位置移動キー、主及び副画面の映像内容の入れ替えキー。」（第５頁右上欄第３行〜左下欄第３行）、「かくして、第３図Ｂに示す如く、主画面（動画）Ｍの例えば、左側にその映像の異なるタイミングの、上下に亘って３段の静止画の副画面Ｓ１、Ｓ２、Ｓ３から成る駒撮画がはめ込まれる如く映出される（ステップＳＴ−６）。」（第５頁右下欄第９〜１３行）、及び「かくして、第３図Ｄに示す如く、主画面（動画）Ｍの例えば、４隅に第３図Ｃの副画面Ｓ１の映像の動画及び異なるタイミングの３つの静止画の副画面Ｓ１、Ｓ２、Ｓ３、Ｓ４から成る駒撮画がはめ込まれる如く映出される（ステップＳＴ−４）。尚、動画の表示場所は、４つの副画面Ｓ１〜Ｓ４をこの順序で循環的に移動させることができる。」（第６頁左上欄１２〜１９行）との記載があり、同じく引用した甲第３号証（特開昭５９−３０３７５号公報）には、「さて上述の如くして記録部１４で記録された画像と新たに撮影する被写体像とを合成する場合の動作について説明する。第２図（Ａ）、（Ｂ）、（Ｃ）は画面の合成の仕様の一例���示す図であり、第２図（Ａ）は記録部１４に記録されている画面、第２図（Ｂ）はＣＣＤ２より得る新たな被写体像、第２図（Ｃ）はその合成画面の一例を示す図である。以下第２図（Ｃ）に示す如く記録部１４に記録されている画面の右下の１/４の部分に新たな被写体像画面を挿入する場合の動作について説明する。」（第２頁右上欄第１２行〜左下欄第１行）との記載がある。
（本件請求項１に係る発明と甲各号証に記載された発明との対比・判断）
　本件請求項１に係る発明と上記甲第１号証に記載された発明とを対比すると、本件請求項１に係る発明の「画像取込手段」、「表示手段」は、上記甲第１号証に記載された発明の「ビデオカメラ９」、「ディスプレイ６」に相当するから、両者は、画像を取り込む画像取込手段と表示手段とを有する画像表示手段で一致し、
Ａ、本件請求項１に係る発明は、既に撮影された画像に対して前記画像取込手段によって取り込まれるこれから撮影される画像の並ぶ方向を指示する指示手段を有するのに対して、上記甲第１号証はそのような記載が無い点、
Ｂ、本件請求項１に係る発明は、前記既に撮影された画像と前記これから撮影される画像を前記指示手段の指示情報に従った並びで同時に表示するのに対して、上記甲第１号証は、そのような記載が無い点、
Ｃ、本件請求項１に係る発明は、前記指示手段の指示情報を記憶する記憶手段とを有すると共に、前記指示手段は、前記記憶手段に記憶された前記指示情報に従って前記画像を表示するのに対して、上記甲第１号証は、そのような記載が無い点で相違する。
　そこで先ず、上記甲第２〜３号証に、これらの相違点Ａ〜Ｃが開示されているか否かを検討すると、上記甲第２〜３号証には、これらの相違点Ａ〜Ｃは全く開示されていない。
  してみれば、上記甲第１〜３号証には、相違点Ａ〜Ｃの構成が全く開示されていない。
　本件請求項１に係る発明は、上記Ａ〜Ｃの構成を有することによって、明細書記載の効果を奏するものであるから、本件請求項１に係る発明が、上記甲第１〜３号証のいずれかであるとも、各甲号証に基づいて、当業者が容易に推考できたものとも言えない。
（本件請求項２〜４に係る発明と甲各号証に記載された発明との対比・判断）
  本件請求項２〜４に係る発明は、本件請求項１〜３に係る発明の構成の一部をさらに限定したものであるから、本件請求項１に係る発明と同様の判断である。
（本件請求項５に係る発明と甲各号証に記載された発明との対比・判断）
　本件請求項５に係る発明と上記甲第１号証に記載された発明とを対比すると、本件請求項５に係る発明の「画像取込手段」、「表示手段」は、上記甲第１号証に記載された発明の「ビデオカメラ９」、「ディスプレイ６」に相当するから、両者は、画像を取り込む画像取込手段と表示手段とを有する撮影装置で一致し、
Ａ、本件請求項５に係る発明は、既に撮影された画像に対して前記画像取込手段によって取り込まれるこれから撮影される画像の並ぶ方向を指示する指示手段を有するのに対して、上記甲第１号証はそのような記載が無い点、
Ｂ、本件請求項５に係る発明は、前記既に撮影された画像と前記これから撮影される画像を前記指示手段の指示情報に従った並びで同時に表示するのに対して、上記甲第１号証は、そのような記載が無い点、
Ｃ、本件請求項５に係る発明は、前記指示手段の指示情報を記憶する記憶手段とを有すると共に、前記指示手段は、前記記憶手段に記憶された前記指示情報に従って前記画像を表示するのに対して、上記甲第１号証は、そのような記載が無い点で相違する。
　そこで先ず、上記甲第２〜３号証に、これらの相違点Ａ〜Ｃが開示されているか否かを検討すると、上記甲第２〜３号証には、これらの相違点Ａ〜Ｃは全く開示されていない。
  してみれば、上記甲第１〜３号証には、相違点Ａ〜Ｃの構成が全く開示されていない。
　本件請求項１に係る発明は、上記Ａ〜Ｃの構成を有することによって、明細書記載の効果を奏するものであるから、本件請求項５に係る発明が、上記甲第１〜３号証のいずれかであるとも、各甲号証に基づいて、当業者が容易に推考できたものとも言えない。
（本件請求項６〜８に係る発明と甲各号証に記載された発明との対比・判断）
  本件請求項６〜８に係る発明は、本件請求項５〜７に係る発明の構成の一部をさらに限定したものであるから、本件請求項５に係る発明と同様の判断である。
ウ．むすび
　以上のとおりであるから、特許異議申立の理由及び証拠によっては、本件請求項１〜８に係る発明の特許を取り消すことはできない。
　また、他に本件請求項１〜８に係る発明の特許を取り消すべき理由を発見しない。
　よって、結論のとおり決定する。
【異議決定日】
平成１２年９月４日（２０００．９．４）
【訂正の要旨】
　訂正の要旨
特許請求の範囲の減縮、誤記の訂正ないし明りょうでない記載の釈明を目的として、下記（１）〜（８）のように特許請求の範囲を訂正する。また、特許請求の範囲の訂正に応じて、発明の詳細な説明についても、適合性を持たせるために下記（９）のように訂正する。
（１）特許請求の範囲の請求項１を、次のとおり訂正する。
「【請求項１】画像を取り込む画像取込手段と、既に撮影された画像に対して前記画像取込手段によって取り込まれるこれから撮影される画像の並ぶ方向を指示する指示手段と、前記既に撮影された画像と前記これから撮影される画像を前記指示手段の指示情報に従った並びで同時に表示する表示手段と、前記指示手段の指示情報を記憶する記憶手段とを有すると共に、前記指示手段は、前記記憶手段に記憶された前記指示情報に従って前記画像を表示することを特徴とする画像表示装置。」
（２）特許請求の範囲の請求項４を、次のとおり訂正する。
「【請求項４】前記表示手段は、前記第２の記憶手段に記憶された画像と前記第３の記憶手段に記憶された画像を前記指示情報に従った並びで同時に表示することを特徴とする請求項３記載の画像表示装置。」
（３）訂正前の請求項５を削除する。
（４）特許請求の範囲の請求項５を、次のとおり訂正する。
「【請求項５】画像を取り込む画像取込手段と、既に撮影された画像に対して前記画像取込手段によって取り込まれるこれから撮影される画像の並ぶ方向を指示する指示手段と、前記既に撮影された画像と前記これから撮影される画像を前記指示手段の指示情報に従った並びで同時に表示する表示手段と、前記指示手段の指示情報を記憶する記憶手段とを有すると共に、前記指示手段は、前記記憶手段に記憶された前記指示情報に従って前記画像を表示することを特徴とする撮影装置。」
（５）特許請求の範囲の請求項６を、次のとおり訂正する。
「【請求項６】前記既に撮影された画像を記憶する第２の記憶手段を有することを特徴とする請求項５記載の撮影装置。」
（６）特許請求の範囲の請求項７を、次のとおり訂正する。
「【請求項７】前記これから撮影される画像を記憶する第３の記憶手段を有することを特徴とする請求項６記載の撮影装置。」
（７）特許請求の範囲の請求項８を、次のとおり訂正する。
「【請求項８】前記表示手段は、前記第２の記憶手段に記憶された画像と前記第３の記憶手段に記憶された画像を前記指示情報に従った並びで同時に表示することを特徴とする請求項７記載の撮影装置。」
（８）訂正前の請求項１０を削除する。
（９）発明の詳細な説明の欄段落【０００５】の項（特許掲載公報第３〜４欄段落【０００５】）を「【課題を解決するための手段】上記目的を達成するために本発明は、画像を取り込む画像取込手段と、既に撮影された画像に対して前記画像取込手段によって取り込まれるこれから撮影される画像の並ぶ方向を指示する指示手段と、前記既に撮影された画像と前記これから撮影される画像を前記指示手段の指示情報に従った並びで同時に表示する表示手段と、前記指示手段の指示情報を記憶する記憶手段とを有すると共に、前記指示手段は、前記記憶手段に記憶された前記指示情報に従って前記画像を表示する画像表示装置とするものである。また、本発明は、画像を取り込む画像取込手段と、既に撮影された画像に対して前記画像取込手段によって取り込まれるこれから撮影される画像の並ぶ方向を指示する指示手段と、前記既に撮影された画像と前記これから撮影される画像を前記指示手段の指示情報に従った並びで同時に表示する表示手段と、前記指示手段の指示情報を記憶する記憶手段とを有すると共に、前記指示手段は、前記記憶手段に記憶された前記指示情報に従って前記画像を表示する撮影装置とするものである。」と訂正する。
（５４）【発明の名称】
画像表示装置
（５７）【特許請求の範囲】
　【請求項１】　画像を取り込む画像取込手段と、既に撮影された画像に対して前記画像取込手段によって取り込まれるこれから撮影される画像の並ぶ方向を指示する指示手段と、
前記既に撮影された画像と前記これから撮影される画像を前記指示手段の指示情報に従った並びで同時に表示する表示手段と、
を有すると共に、前記指示手段は、前記記憶手段に記憶された前記指示情報に従って前記画像を表示する
　【請求項２】　前記既に撮影された画像を記憶する第２の記憶手段を有することを特徴とする請求項１記載の画像表示装置。
　【請求項３】　前記これから撮影される画像を記憶する第３の記憶手段を有することを特徴とする請求項２記載の画像表示装置。
　【請求項４】　前記表示手段は、前記第
２
３
　【請求項５】　画像を取り込む画像取込手段と、既に撮影された画像に対して前記画像取込手段によって取り込まれるこれから撮影される画像の並ぶ方向を指示する指示手段と、
前記既に撮影された画像と前記これから撮影される画像を前記指示手段の指示情報に従った並びで同時に表示する表示手段と、
を有すると共に、前記指示手段は、前記記憶手段に記憶された前記指示情報に従って前記画像を表示する
　【請求項６】　前記既に撮影された画像を記憶する第２の記憶手段を有することを特徴とする請求項
５
　【請求項７】　前記これから撮影される画像を記憶する第３の記憶手段を有することを特徴とする請求項
６
　【請求項８】　　前記表示手段は、前記第
２
３
７
【発明の詳細な説明】
　【０００１】
　【発明の属する技術分野】
　本発明は、取り込まれた画像を表示する画像表示装置の改良に関するものである。
　【０００２】
　【従来の技術】
　従来、パノラマ撮影をする場合は、撮影者は頭の中に継ぎ目の部分を覚えなければならなかった。また三脚を使用してカメラをある程度固定させていた。
　【０００３】
　【発明が解決しようとする課題】
　この様に、従来パノラマ撮影をする場合は、撮影者は頭の中に継ぎ目の部分を覚えなければならないので煩わしく、又、次の撮影でファインダ上の画面がこの継ぎ目の部分につながるようにしなければならないが、この時頭の中に覚えた継ぎ目の部分は、ファインダに対し覚えた時とは逆側にもって来るように想像しなければならないことや、遠景等で継ぎ目にそれほど特徴がない場合があることによって、なかなかうまくこの継ぎ目の部分を合わせることができなかった。また、一度継ぎ目の部分を忘れてしまうと、もう一度最初からやり直さなければ駄目であったし、さらにまた左右方向を覚えたとしても、なかなか上下方向まで三脚なしでは、合わせることができず、しかも、手持ちでカメラの位置が少しずれただけでも、次の撮影画面を合わせることが困難であるなどの問題点があった。
　【０００４】
　本発明の目的は、画像取込手段によって取り込まれた画像のつながり状態がわかる画像表示装置及び撮影装置を提供しようとするものである。
　【０００５】
　【課題を解決するための手段】
　上記目的を達成するために本発明は、画像を取り込む画像取込手段と、既に撮影された画像に対して前記画像取込手段によって取り込まれるこれから撮影される画像の並ぶ方向を指示する指示手段と、
前記既に撮影された画像と前記これから撮影される画像を前記指示手段の指示情報に従った並びで同時に表示する表示手段と、
を有すると共に、前記指示手段は、前記記憶手段に記憶された前記指示情報に従って前記画像を表示する
前記既に撮影された画像と前記これから撮影される画像を前記指示手段の指示情報に従った並びで同時に表示する表示手段と、
を有すると共に、前記指示手段は、前記記憶手段に記憶された前記指示情報に従って前記画像を表示する
　【０００６】
　【発明の実施の形態】
　図１は本発明の実施の形態に係る装置を備えたカメラの一例を示したものである。尚、以降の説明において図面における同一符号は同一の機能を有するものとする。図１において、１はカメラ本体、２はレリーズボタン、３は表示手段、４は左スクロールのスイッチが連動するボタン、５は右スクロールのスイッチが連動するボタン、６はフィルム又は撮像素子上に被写体を結像するレンズである。
　【０００７】
　図２は図１のカメラに組み込まれた回路の一例を示している。すなわち、撮像素子４０１によって被写体が画像信号として撮像アドレス発生手段４０４に応じて出力され、Ａ／Ｄ変換手段４０２によってデジタル値に変換され、ＲＡＭ４０３に記憶される。ＲＡＭ４０３は、１から３６まであり、それぞれはフィルムカウンタ４１２の情報に応じてＲＡＭセレクション手段４１１によって選択される。
　【０００８】
　前記ＲＡＭ４０３に記憶された画像信号は、撮像アドレス４０４に応じてデータをＤ／Ａ変換手段４０９に送り、アナログに変換された信号は表示アドレス発生手段４０６で指定された表示手段４１０の場所に表示される。ここで、位相制御手段４０５が表示アドレスと撮像アドレスに位相を持たせ、表示手段４１０のスタートアドレスが後述の図４に示す如く実質的に変わったような表示を表示手段４１０に行わせる。さらに、その前後において位相制御手段４０５はＲＡＭセレクト手段４１１に信号を送って後述する図４のアドレスに従い、ＲＡＭ４０３の隣のデータも表示手段４１０に表示させ、これらによって後述する図３（ａ），（ｂ）に示すような表示を行わせる。
　【０００９】
　なお、図２にみられるスイッチ４０７，４０８は、それぞれ右方向のパノラマか、左方向のパノラマかを選択するスイッチであり、後述する図３の（ａ）か、図３の（ｂ）を選択する。
　【００１０】
　図３（ａ），（ｂ）は図１、図２のカメラによる表示の第１例を示している。まず、図３の（ａ）は、右方向のパノラマ撮影ということで、前述のスイッチ４０７によってこれを設定すると、撮影した前の写真の画像であるｎ枚目の画像の斜線部分だけが現在ファインダである画像の左端に表示される。さらに、次に撮影されるであろう画像が動画としてｎ＋１枚目の斜線部分がファインダの右残りの部分に合成されて表示されることになり、前の画面ｎ枚目と、これから撮影するｎ＋１枚目が正確に境界を合わせることが可能となる。この場合のパノラマ撮影は左の風景から右方向に移動するものであるが、この逆も前述のスイッチ４０８によって選択ができる。つまり、図３（ｂ）のように、ｎ枚目の左側の斜線部分をファインダの右側に表示してｎ＋１枚目の斜線部分をファインダの左側に表示することによって右側の風景から左方向にパノラマ撮影することも可能である。
　【００１１】
　図４（ａ），（ｂ）は上記ｎ枚目，ｎ＋１枚目の画像がファインダ上で表示される場合のそれぞれの水平方向のアドレスを示している。
　【００１２】
　図４の（ａ）は図３の（ａ）に、図４の（ｂ）は図３の（ｂ）に対応している。
　【００１３】
　図４の（ａ）において、１枚の画像は水平方向ＯＯＨからＦＦＨまでのデータがあると考える。ｎ枚目の画像データの水平方向ＣＯＨからＦＦＨのデータをファインダ上のＯＯＨから３ＦＨに、ｎ＋１枚目の画像データのＯＯＨからＢＦＨまでをファインダ上の４０ＨからＦＦＨに表示すればよいことになる。また図４の（ｂ）も同様である。
　【００１４】
　以上のことから、表示の水平アドレスのスタート位置を変えれば、図３の表示を実現できることがわかる。
　【００１５】
　図５は本発明に係る表示の第２例を示している。これは完全に２枚の画像を隣り合わせに１画面に表示するものである。これは、図２の回路に於いて、撮影アドレス発生手段４０４によってＲＡＭ４０３のデータをそれぞれ垂直水平ともに１つとびに読み出すようにし、位相制御手段４０５、ＲＡＭセレクト手段４１１によって、ｎ枚目，ｎ＋１枚目の表示スタートアドレスを図５に対応するようにセットし、表示アドレス発生手段４０６に垂直方向の表示アドレス範囲を指定しておくことで実現できる。
　【００１６】
　図６は本発明に係る表示の第３例を示している。前述の図３では、固定値がアドレスの位相として設定されていたが、この例では、図１のボタン４，５によって画面をスクロールさせて、前画面の残る量を制御できるようにしたものである。すなわち、同図の（ａ）→（ｂ）→（ｃ）と徐々にスクロールしていた様子を示している。つまり、ファインダ上で、右側にｎ＋１枚目の画面がこれから撮影される像として動画表示され、左側にｎ枚目の既に撮影された画面が静止画表示される。
　【００１７】
　図７は図６の表示を実現する回路の一例を示している。
　【００１８】
　被写体は撮像素子４０１によって画像信号に変換され、Ａ／Ｄ変換手段４０２でデジタル値に変換され、ＲＡＭ７０３〜７０５のＤＩ端子に出力される。ＲＡＭ７０３〜７０５は前述のＲＡＭ４０３を構成している（尚、ここでは図示を省略しているがＲＡＭ７０３〜７０５の駒数に対応した数だけ設けられている）。撮影素子４０１の垂直方向の転送クロックφＶを撮像垂直アドレスカウンタ７１７によってカウントアップして垂直方向アドレスを撮像素子４０１とＲＡＭ７０３〜７０５に送る。このカウンタは転送クロックφＶが所定数出力されると垂直ブランキング信号ＶＤによって初期リセットされる。同様に、撮像素子４０１の水平方向の転送クロックφＨを撮像水平アドレスカウンタ７１８によってカウントアップして水平方向のアドレスを撮像素子４０１とＲＡＭ７０３〜７０５に送る。このカウンタは転送クロックφＨが所定数出力されると水平ブランキング信号ＨＤによって初期リセットされる。
　【００１９】
　一方、フィルムカウンタ４１２からのフィルムの駒数を表わす信号に応じてデコーダ７１５がＲＡＭ７０３〜７０５のＷＥ端子に信号を送り、ＲＡＭ７０３〜７０５の１つを選択してその選択したＲＡＭに撮像素子４０１からの画像信号を取り込ませる。フィルムカウンタ４１２は、シャッタ制御手段７２９からの露光のタイミング信号によってカウンタを１つカウントアップし、それによってデコーダ７１５の出力が切換わり、その時の画像データがそれまでデコーダ７１５によって選択されていたＲＡＭに静止画として記録される。尚、その前までの画像データは順次ＲＡＭを介してＤ／Ａ変換手段４０９に送られてアナログ信号に変換され、表示手段４１０に現在の画像として動画表示される。
　【００２０】
　またＲＡＭ７０３〜７０５からのデータの読み出しとしては、デコーダ７１５及び後述する排他論理和ゲート７２６，７２７の出力に応じて、アンドゲート７０９〜７１４、オアゲート７０６〜７０８からなるセレクトゲートを介してＯＥ端子に信号の送られたＲＡＭからのみデータが出力される。
　【００２１】
　スイッチ７２３，７２４は、図１のボタン４，５に連動し、それぞれ右あるいは左方向のスクロールを指示するスイッチであり、これらスイッチがオンすることにより、クロック発生手段７３０よりクロックをアドレス差をカウンタ７２０のｕｐ端子にあるいはｄｏｗｎ端子に送る。送られたクロックに対してはアドレス差カウンタ７２０はアップカウント又はダウンカウントを行う。ここでのカウント値がスクロール量として表示のｎ枚目とｎ＋１枚目の境界のオフセット値となる。またアドレス差カウンタの最初がダウンか、アップかによって、方向検出手段７２８はスクロール方向として表示手段４１０に表示される１枚目の画像が右側か左側かを選択している。
　【００２２】
　コンパレータ７１９は撮像水平アドレスカウンタ７１８の内容とアドレス差カウンタ７２０の内容の大小判別を行い、大（＞）小（＜）の出力はそれぞれ排他論理和ゲート７２６，７２７に出力される。
　【００２３】
　アドレス差カウンタ７２０のカウント値は、コンパレータ７１９によって撮像水平アドレスカウンタ７１８の内容と比較され、方向検出手段７２８の出力に応じて右方向のスクロールの場合は、撮像水平アドレスカウンタ７１８の内容がアドレス差カウンタ７２０のカウント値より大きい（＞）間、排他論理和ゲート７２６の出力は“Ｈ”、排他論理和ゲート７２７の出力は“Ｌ”となって、この時、フィルムカウンタ４１２の内容がｎ＋１枚目であればデコーダ７１５の出力によってアンドゲート７１２が選択され、前画面であるｎ枚目の画像データがＲＡＭ７０４から読み出されてＤ／Ａ変換手段４０９を介し、表示手段４１０に入力される。表示手段４１０は、表示水平アドレスカウンタ７２１及び表示垂直アドレスカウンタ７２２に指定されるアドレスに従って表示を行うが、コンパレータ７１９が一致信号（＝）を出力した時点で表示水平アドレスカウンタ７２１はリセットされるので、撮像水平アドレスカウンタ７１８の内容がアドレス差カウンタ７１９のカウント値より大きくなるそれ以降の撮像水平アドレスカウンタ７１８のアドレスに対応したＲＡＭ７０４の画像データ、すなわちｎ枚目の右側の画像が表示手段４１０の左側に表示される。
　【００２４】
　そして、撮像水平アドレスカウンタ７１８が水平ブランキング信号ＨＤにより初期リセットされ、撮像水平アドレスカウンタ７１８の内容がアドレス差カウンタ７１９のカウント値より小さく（＜）なると、コンパレータ７１９の出力により排他論理和ゲート７２６の出力は“Ｌ”、排他論理和ゲート７２７の出力は“Ｈ”となって、今度はアンドゲート７１３が選択され、現画面であるｎ＋１枚目の画像データがＲＡＭ７０５から読み出されて、Ｄ／Ａ変換手段４０９を介し、表示手段４１０に入力される。
　【００２５】
　これにより表示手段４１０では撮像水平アドレスカウンタ７１８の先頭アドレスに対応した画像データがその時点での表示水平アドレスカウンタ７２１の指定するアドレスに対応した位置となるような表示が行われる。従って、表示手段４１０では、図６に示される様にｎ＋１枚目の画像の左側がｎ枚目の画像の右側に該ｎ枚目の画像に続けて表示される。
　【００２６】
　一方、左方向のスクロールの場合は方向検出手段７２８の出力が反転して、排他論理和ゲート７２６，７２７の出力の切換わりが上述の右方向のスクロールの場合とは逆になって、表示手段４１０では表示手段４１０の左側にｎ＋１枚目の画像の右側が表示され、それに引き続いてｎ枚目の画像の左側が表示手段４１０の右側に表示される。
　【００２７】
　尚、図２での撮影アドレス発生手段４０４は、本実施例の撮像垂直アドレスカウンタ７１７と撮像水平アドレスカウンタ７１８で構成することができ、図２の位相制御手段４０５は本実施例のアドレス差カウンタ７２０のアップカウント値及びダウンカウント値を一定にしたものと、方向検出手段７２８，コンパレータ７１９、排他論理和ゲート７２６，７２７によって構成することができ、更に、図２のＲＡＭセレクト手段４１１は、本実施例のオアゲート７０６〜７０８、アンドゲート７０９〜７１４、デコーダ７１５によって構成でき、図２の表示アドレス発生手段４０６は、本実施例の表示水平アドレスカウンタ７２１、表示垂直アドレスカウンタ７２２によって構成できるものである。
　【００２８】
　図８（ａ），（ｂ）は本発明に係る表示の第４例を示している。すなわち、画面の境界に境界線を表示することにより、識別しやすくしたものであり、同図の（ｂ）のように一致に近い時でも、どの部分を見て継目を判断すればよいかがすぐにわかる。
　【００２９】
　これを実施する為には、前記図７中において、コンパレータ７１９の一致信号（＝）を図９に示すようにインバータ１２０１で反転してアンドゲート１２０２の一方の入力端に入力し、アンドゲート１２０２の他方の入力端にＲＡＭ４０３のデータを入力して、その出力をＤ／Ａ変換手段４０９入力させるようにすればよい。これによりコンパレータ７１９から一致信号が出力された際には、アンドゲート１２０２によってＲＡＭ４０３のデータのＤ／Ａ変換手段４０９へ出力が阻止され、この部分が図８のように、境界線として表示されることになる。
　【００３０】
　図１０は図７のスクロール機能を発展させた表示を示したもので、図７のアドレス差カウンタ７２０を図１１に示す様にデコーダ１２０３によってスクロールが一画面を越えて、さらにその前画面あるいは後画面にいった時に、フィルムカウンタの内容を減算あるいは加算してその内容をデコーダ７１５に送ることによって、多画面のスクロールを可能にしたものである。すなわち、図１０のｎ−２枚目、ｎ−１枚目、ｎ枚目と３枚のパノラマを撮影した場合、スクロールボタンを押すことによって表示範囲Ａを左右に移動し、ファインダ上にその画面を表示するものである。これによって、撮影終了後にパノラマ写真の確認が電子ビューファインダ上で可能になる。
　【００３１】
　図１２（ａ），（ｂ）は本発明に係る表示の第６例を示している。すなわち、ｎ枚目である前画面を一部残し、ｎ＋１枚目を重ねて表示するものである。図１２の（ａ）は重なり部分が一致していないことを示し、図１２（ｂ）は重なり部分が一致して表示がなくなった様子を示している。この方法によれば、プリント上では重なり部分ができて好ましくないような感じもするが、これはプリント外も撮像素子によって表示すればすむ。この表示では、単純に一致するか、しないかの判断ができるので、継目を合わせやすくすることができるものである。
　【００３２】
　図１３は図１２の表示を実施する回路例を示したもので、表示アドレスカウンタ１１１１のアドレスは、現画面であるｎ＋１枚目の画像を取り込むＲＡＭ１１０２と表示手段４１０に送られ、ＲＡＭ１１０２からのデータがＲＡＭ１１０２のアドレスと同一のアドレスに対応して表示手段４１０に表示される。一方、前画面であるｎ枚目の画像を取り込むＲＡＭ１１０１はアドレスオフセット値がプリセット手段１１０３によってパノラマアドレス発生手段１１０４にセットされ、ＲＡＭ１１０１はこのオフセット値からデータを読み出すことになる。また、ＲＡＭ１１０２とＲＡＭ１１０１のデータは排他論理和ゲート１１０７に入り、一致すると、ローレベルを出力するようになる。つまり、排他論理和ゲート１１０７はＲＡＭ１１０１とＲＡＭ１１０２の画像データの重なり部分を出力する。一方、コンパレータ１１０５によって、パノラマアドレス発生手段１１０４のカウンタ値が比較されて、この場合、ＲＡＭ１１０１の画像データがＦＦＨである右端まできた時にハイレベルが出力されるようになっており、それまではインバータ１１０６を介してアンドゲート１１０９にハイレベルが入力されることによって、排他論理和ゲート１１０７の出力がアンドゲート１１０９、オアゲート１１１０を介してＡ／Ｄ変換手段４０９に送られ、表示手段４１０の左側に図１２に示すような表示が行われる。また上記の様にＲＡＭ１１０１の画像データがＦＦＨである右端にきた場合にはコンパレータ１１０５の出力が反転するので、オアゲート１１１０にはアンドゲート１１０８を介してＲＡＭ１１０２の出力のみが入力され、Ａ／Ｄ変換手段４０９を介して表示手段４１０の右側に図１２に示すような表示が行われる。
　【００３３】
　図１４は上下方向にパノラマ展開をする様子を示したもので、この場合、図７の回路において、水平アドレスカウンタを制御していたものを、垂直アドレスカウンタに変更することによって実現可能である。
　【００３４】
　図１５は図１０のスクロールを上下方向に展開したものである。この場合も図７、図１１の回路において、水平アドレスカウンタを制御していたものを垂直アドレスカウンタに変更すればよい。
　【００３５】
　図１６は左右のスクロールおよび上下のスクロールを組合わせたものであり、同図のような構図での撮影も容易になる。また自由にスクロールをさせることも前記実施例の組合わせから可能であることは、勿論である。
　【００３６】
　図１７は図１６の実施例を文字にした場合である。すなわち、文字の場合においては、一画面で認識できる文字数は、たとえば、図２または図７の撮像素子４０１および表示手段４１０の画素数によって制約される。したがって、被写物を分割して記録することにより、多くの文章の記録を可能にするものである。ここで、上下左右にパノラマ風に撮影した場合、次の画面がどの辺に接するものかがわかるので、これをメモリ等に記録して、マイコンで画面メモリを制御することにより、分割された画面がスクロールによって自動で隣り合って見られるようにすることが可能である。
　【００３７】
　図１８はマイコンを使用したときの本発明の回路のもう１つの実施の形態を示している。すなわち、パノラマ撮影を行った時に、方向検出手段７２８から方向をマイコン１７０１が取り込んで方向ＲＡＭ１７０２に記憶し、再生時には方向ＲＡＭ１７０２のデータからマイコン１７０１がスクロールに応じてＲＡＭ４０３にアドレスを出力して制御するものである。
　【００３８】
　【発明の効果】
　以上説明したように、本発明によれば、画像取込手段によって取り込まれた画像のつながり状態がわかる画像表示装置及び撮影装置を提供できるものである。
【図面の簡単な説明】
　【図１】
本発明の実施の形態に係るカメラの一例を示した斜視図。
　【図２】
図１のカメラに組み込まれた主要回路の説明図。
　【図３】
図１のカメラによる表示の第１例の説明図。
　【図４】
それぞれ図３（ａ），（ｂ）に対する画像の水平のアドレスについての説明図。
　【図５】
図１のカメラによる表示の第２例の説明図。
　【図６】
同じく第３例の説明図。
　【図７】
図６の表示をさせるための回路の説明図。
　【図８】
図１のカメラによる表示の第４例の説明図。
　【図９】
図８の表示をさせるための回路の説明図。
　【図１０】
同じく第５例の説明図。
　【図１１】
図１０の表示をさせるための回路の説明図。
　【図１２】
同じく第６例の説明図。
　【図１３】
図１２の表示をさせるための回路の説明図。
　【図１４】
図１のカメラによる表示の第７例の説明図
　【図１５】
同じく表示の第８例の説明図。
　【図１６】
同じく表示の第９例の説明図。
　【図１７】
同じく表示の第１０例の説明図。
　【図１８】マイコンを使用したときの回路のもう１つの説明図。
　【符号の説明】
１　カメラ
２　レリーズボタン
３　表示手段
４，５　ボタン
６　レンズ
４０１　撮像素子
４０２　Ａ／Ｄ変換手段
４０３　ＲＡＭ
４０４　撮像アドレス発生手段
４０５　位相制御手段
４０６　表示アドレス発生手段
４０７，４０８　スイッチ
４０９　Ｄ／Ａ変換手段
４１０　表示手段
４１１　ＲＡＭセレクト手段
４１２　フィルムカウンタ